(57)【特許請求の範囲】
【請求項１】
多数の模様を形成するために針棒揺動を制御する振幅制御カム群と、該振幅制御カム群に対向して配設されカムに接触する接触子と、該接触子と針棒揺動装置に作動的に連結する連結機構と、前記振幅制御カム群中の選択されるカムに前記接触子を接触させ該カムの揺動を前記針棒揺動装置に伝達させる選択カムとを備えたジクザグミシンにおいて、
ボタンホールの両端閂止め部を形成する針棒揺動を制御する凹凸カム面が形成され、振幅制御カム群に対して相対回転可能に支持された第１のカムと、
前記ボタンホールの両かがり部の形成時の針落ちを制御するカム面が形成され、前記第１のカムに機械的に連結した第２のカムと、
前記かがり部を形成する針棒揺動を制御する凹凸カム面が形成され、前記振幅制御カム群に機械的に連結した第３のカムとから成り、
前記第２のカムは、前記第１のカムに対して偏心して配設され、
該第１のカムに一体的に形成した突起が、前記第２のカムの半径方向に形成された長孔に係合しており、
前記第３のカムは、前記振幅制御カム群に対して偏心して配設され、
該振幅制御カム群に一体的に形成した突起が、前記第３のカムの半径方向に形成された長孔に係合しており、
前記第１のカムが、６針カムより成り、
前記第２のカムが、補助カムより成り、
前記ボタンホールの形成にあたり、前記第１および第２のカムと前記第３のカムとの連結および遮断を制御するクラッチ機構を備えており、
ボタンホール選択時において、ボタンホールカムを制御するボタンホール制御カムを備え、
前記ボタンホール制御カムに対向して選択的に揺動可能に配設された複数のボタンホール制御用接触子を備えている
ことを特徴とするジグザグミシンのボタンホール縫い装置。
【請求項２】
請求項１において、
前記ボタンホール制御カムによって選択的に揺動した前記ボタンホール制御用接触子によって、個別に揺動が制御され、前記針棒揺動装置に伝達するようにしたボタンホールカムを備えている
ことを特徴とするジグザグミシンのボタンホール縫い装置。
【請求項３】
請求項２において、
前記接触子が、前記振幅制御カム群の各カムにそれぞれ対向して揺動可能に配設された複数の接触子によって構成されている
ことを特徴とするジグザグミシンのボタンホール縫い装置。
【請求項４】
請求項３において、
操作に連動して、前記振幅制御カム群中の選択されるカムに対向する前記接触子を接触させ、該カムの揺動を前記針棒揺動装置に伝達させるように前記選択カムを作動させる模様選択カムを備えている
ことを特徴とするジグザグミシンのボタンホール縫い装置。
【請求項５】
請求項４において、
前記接触子は、前記選択カムによって選択されたもののみ選択的に揺動させ、他のものは揺動されないように構成されている
ことを特徴とするジグザグミシンのボタンホール縫い装置。
【発明の詳細な説明】
【０００１】
【発明の属する技術分野】
本発明は、ジクザグミシンにおいて、ボタンホールの両端閂止め部を形成する針棒揺動を制御する凹凸カム面が形成された第１のカムと、前記ボタンホールの両かがり部の形成時の針落ちを補助的に制御するカム面が形成された第２のカムと、前記かがり部を形成する針棒揺動を制御する凹凸カム面が形成された第３のカムとがそれぞれ別部材によって構成されているので、各カムの精度を互いに影響されることなく確保することが出来るとともに、ボタンホール縫いにおける針落ち精度を容易に確保することが出来るジグザグミシンのボタンホール縫い装置に関する。
【０００２】
【従来の技術】
従来のジグザグミシンのボタンホール縫い装置は、図１４ないし図１７に示されるように多数の模様を形成するために針棒揺動を制御する振幅制御カム群Ｊと、該振幅制御カム群Ｊの配列方向に移動可能に配設され、１つのカムに選択的に係合する主接触子Ｍと、該主接触子Ｍと針棒揺動装置に作動的に連結する連結機構Ｃ１、Ｃ２と、前記振幅制御カム群Ｊ中の選択されるカムに前記主接触子Ｍに係合する位置に移動させる模様選択操作体の操作に連動して作動する選択カムＳを備えたジクザグミシンにおいて、ボタンホールの両端閂止め部を形成する針棒揺動を制御する第１の凹凸カム面Ｅと前記ボタンホールの両かがり部の形成時の針落ちを制御する第２のカム面Ｃ，Ｄが形成され、振幅制御カム群に対して相対回転可能に支持された第１のカムＸと、前記かがり部を形成する針棒揺動を制御する凹凸カム面が形成され、前記振幅制御カム群に機械的に連結した第２のカムＹと、前記第１および第２のカムの連結および遮断４制御するクラッチ機構と、前記第１および第２のカムに対向し、ボタンホールカムに対向する１個の副接触子を含む副接触子Ｈと、前記主接触子Ｍと前記副接触子Ｈとを連結する連結片Ｌとから成るものであった。
【０００３】
【発明が解決しようとする課題】
上記従来のジグザグミシンのボタンホール縫い装置は、ボタンホールの両端閂止め部を形成する針棒揺動を制御する第１の凹凸カム面Ｃ，Ｄが前記ボタンホールの両かがり部の形成時の針落ちを制御する第２のカム面Ｆが前記第１のカムＸにともに形成されているので、一方の精度を確保するために形状補正を加えると他方の精度が低下するという問題があった。
【０００４】
また従来のジグザグミシンのボタンホール縫い装置は、前記選択カムＳによって前記主接触子Ｍを移動させ、選択されるカムに対向配置させるものであるため、前記選択カムＳの精度を上げる必要があるとともに、コストが高くなるという問題があった。
【０００５】
さらに従来のジグザグミシンのボタンホール縫い装置は、前記ボタンホールカムの揺動を前記副接触子Ｈによって取り出し、これを前記連結片Ｌを介して前記主接触子Ｍに伝達し、さらに前記針棒揺動装置に伝達する構成であるため、ボタンホール縫い時における針落ち精度の確保が難しいという問題があった。
【０００６】
また従来のジグザグミシンのボタンホール縫い装置は、ボタンホール縫い時における前記主接触子Ｍおよび副接触子Ｈの一方に張り出した前記連結片Ｌを介して揺動を伝達する構成であるため、構造が複雑であり、前記主接触子Ｍおよび副接触子Ｈの作動が不順となる可能性があり、前記連結片Ｌが介挿される前記主接触子Ｍおよび副接触子Ｈの剛性を高める必要があり、針落ち精度の確保が難しいという問題があった。
【０００７】
さらに従来のジグザグミシンのボタンホール縫い装置は、ボタンホール選択時において、前記主接触子Ｍを振幅制御カムＪの外周面より離隔して移動させ前記副接触子と係合させるため、選択操作が重くなるという問題があった。
【０００８】
本発明者らは、ジクザグミシンにおいて、ボタンホールの両端閂止め部を形成する針棒揺動を制御する凹凸カム面が形成された第１のカムと、前記ボタンホールの両かがり部の形成時の針落ちを補助的に制御するという本発明の技術的思想に着眼し、さらに研究開発を重ねた結果、各カムの精度を互いに影響されることなく確保することが出来るとともに、ボタンホール縫いにおける針落ち精度を容易に確保するという目的を達成する本発明に到達した。
【０００９】
【課題を解決するための手段】
本発明（請求項１に記載された第１発明）のジグザグミシンのボタンホール縫い装置は、
多数の模様を形成するために針棒揺動を制御する振幅制御カム群と、該振幅制御カム群に対向して配設されカムに接触する接触子と、該接触子と針棒揺動装置に作動的に連結する連結機構と、前記振幅制御カム群中の選択されるカムに前記接触子を接触させ該カムの揺動を前記針棒揺動装置に伝達させる選択カムとを備えたジクザグミシンにおいて、
ボタンホールの両端閂止め部を形成する針棒揺動を制御する凹凸カム面が形成され、振幅制御カム群に対して相対回転可能に支持された第１のカムと、
前記ボタンホールの両かがり部の形成時の針落ちを制御するカム面が形成され、前記第１のカムに機械的に連結した第２のカムと、
前記かがり部を形成する針棒揺動を制御する凹凸カム面が形成され、前記振幅制御カム群に機械的に連結した第３のカムとから成るものである。
【００１０】
本発明（請求項１に記載された第１発明）のジグザグミシンのボタンホール縫い装置は、
前記第２のカムは、前記第１のカムに対して偏心して配設され、
該第１のカムに一体的に形成した突起が、前記第２のカムの半径方向に形成された長孔に係合している
ものである。
【００１１】
本発明（請求項１に記載された第１発明）のジグザグミシンのボタンホール縫い装置は、
前記第３のカムは、前記振幅制御カム群に対して偏心して配設され、
該振幅制御カム群に一体的に形成した突起が、前記第３のカムの半径方向に形成された長孔に係合している
ものである。
【００１２】
本発明（請求項１に記載された第１発明）のジグザグミシンのボタンホール縫い装置は、
前記第１のカムが、６針カムより成り、
前記第２のカムが、補助カムより成る
ものである。
【００１３】
本発明（請求項１に記載された第１発明）のジグザグミシンのボタンホール縫い装置は、
前記ボタンホールの形成にあたり、前記第１および第２のカムと前記第３のカムとの連結および遮断を制御するクラッチ機構を備えている
ものである。
【００１４】
本発明（請求項１に記載された第１発明）のジグザグミシンのボタンホール縫い装置は、
ボタンホール選択時において、ボタンホールカムを制御するボタンホール制御カムを備えている
ものである。
【００１５】
本発明（請求項１に記載された第１発明）のジグザグミシンのボタンホール縫い装置は、
前記ボタンホール制御カムに対向して選択的に揺動可能に配設された複数のボタンホール制御用接触子を備えている
ものである。
【００１６】
本発明（請求項２に記載された第２発明）のジグザグミシンのボタンホール縫い装置は、
前記第１発明において、
前記ボタンホール制御カムによって選択的に揺動した前記ボタンホール制御用接触子によって、個別に揺動が制御され、前記針棒揺動装置に伝達するようにしたボタンホールカムを備えている
ものである。
【００１７】
本発明（請求項３に記載された第３発明）のジグザグミシンのボタンホール縫い装置は、
前記第２発明において、
前記接触子が、前記振幅制御カム群の各カムにそれぞれ対向して揺動可能に配設された複数の接触子によって構成されている
ものである。
【００１８】
本発明（請求項４に記載された第４発明）のジグザグミシンのボタンホール縫い装置は、
前記第３発明において、
操作に連動して、前記振幅制御カム群中の選択されるカムに対向する前記接触子を接触させ、該カムの揺動を前記針棒揺動装置に伝達させるように前記選択カムを作動させる模様選択カムを備えている
ものである。
【００１９】
本発明（請求項５に記載された第５発明）のジグザグミシンのボタンホール縫い装置は、
前記第４発明において、
前記接触子は、前記選択カムによって選択されたもののみ選択的に揺動させ、他のものは揺動されないように構成されている
ものである。
【００２０】
【発明の作用および効果】
上記構成より成る第１発明のジグザグミシンのボタンホール縫い装置は、前記第１のカムと前記第２のカムおよび第３のカムが独立しているため、ボタンホール縫いを可能にするとともに、一方のカムの精度を確保するために形状補正を加えると他方のカムの精度に影響を与えることを防止して、精度低下を阻止するという効果を奏するものである。
【００２１】
上記構成より成る第１発明のジグザグミシンのボタンホール縫い装置は、前記第２のカムが、前記第１のカムに対して偏心して配設され、該第１のカムに一体的に形成した突起が、前記第２のカムの半径方向に形成された長孔に係合しているので、前記第２のカムの前記第１のカムに対する偏心した一体回転を可能にして、ボタンホール縫いを可能にするという効果を奏する。
【００２２】
上記構成より成る第１発明のジグザグミシンのボタンホール縫い装置は、前記第３のカムが、前記振幅制御カム群に対して偏心して配設され、該振幅制御カム群に一体的に形成した突起が、前記第３のカムの半径方向に形成された長孔に係合しているので、前記第３のカムの前記振幅制御カム群に対する偏心した一体回転を可能にして、ボタンホール縫いを可能にするという効果を奏する。
【００２３】
上記構成より成る第１発明のジグザグミシンのボタンホール縫い装置は、前記第１のカムが、６針カムより成り、前記第２のカムが、補助カムより成るので、前記一方の６針カムまたは補助カムの精度を確保するために形状補正を加えると他方の前記補助カムまたは６針カムの精度に影響を与えることを防止して、精度低下を阻止するという効果を奏する。
【００２４】
上記構成より成る第１発明のジグザグミシンのボタンホール縫い装置は、前記クラッチ機構が、前記第１および第２のカムと前記第３のカムとの連結および遮断を制御するので、前記ボタンホールの形成を可能にするという効果を奏する。
【００２５】
上記構成より成る第１発明のジグザグミシンのボタンホール縫い装置は、ボタンホール選択時において、ボタンホールカムを制御するボタンホール制御カムを備えているので、前記ボタンホール制御カムによる前記ボタンホールカムの制御を可能にするという効果を奏する。
【００２６】
上記構成より成る第１発明のジグザグミシンのボタンホール縫い装置は、前記ボタンホール制御カムに対向して選択的に揺動可能に配設された複数のボタンホール制御用接触子を備えているので、前記ボタンホール制御カムによるボタンホール制御用接触子を介して前記ボタンホールカムの制御を可能にするという効果を奏する。
【００２７】
上記構成より成る第２発明のジグザグミシンのボタンホール縫い装置は、前記ボタンホール制御カムによって選択的に揺動した前記ボタンホール制御用接触子によって、前記ボタンホールカムを介して前記針棒揺動装置に伝達され、個別に揺動が制御され、ボタンホール縫いを実現するという効果を奏する。
【００２８】
上記構成より成る第３発明のジグザグミシンのボタンホール縫い装置は、前記接触子が、前記振幅制御カム群の各カムにそれぞれ対向して揺動可能に配設された複数の接触子によって構成されているので、前記選択カムによって前記主接触子を移動させ、選択されるカムに対向配置させる上記従来装置のように前記選択カムの精度を上げる必要が無いとともに、コストが高くなるのを防止するという効果を奏する。
【００２９】
上記構成より成る第４発明のジグザグミシンのボタンホール縫い装置は、操作に連動して前記模様選択カムが、前記選択カムを作動させ、前記振幅制御カム群中の選択されるカムに対向する前記接触子を接触させ、該カムの揺動を前記針棒揺動装置に伝達させ、模様の選択を実現するという効果を奏する。
【００３０】
上記構成より成る第５発明のジグザグミシンのボタンホール縫い装置は、前記接触子は、前記選択カムによって選択されたもののみ選択的に揺動させ、他のものは揺動されないように構成されているので、前記副接触子を用いる従来装置が有する構造が複雑であることからくる前記主接触子および副接触子の作動不順を防止し、前記主および副接触子の剛性を高めることを不要とし、針落ち精度の確保を容易にするという効果を奏する。
【００３１】
【発明の実施の形態】
本発明の実施の形態について、以下図面に基づいて説明する。
【００３２】
（実施形態）
本実施形態のジグザグミシンのボタンホール縫い装置は、図１ないし図１２に示されるようにジクザグミシンにおいて、ボタンホールの両端閂止め部を形成する針棒揺動を制御する凹凸カム面が形成され、振幅制御カム群２９、３０に対して相対回転可能に支持された第１のカム３２ｄと、前記ボタンホールの両かがり部の形成時の針落ちを制御するカム面が形成され、前記第１のカムに機械的に連結した第２のカム３７と、前記かがり部を形成する針棒揺動を制御する凹凸カム面が形成され、前記振幅制御カム群に機械的に連結した第３のカム３８と、前記ボタンホールの形成にあたり、前記第１および第２のカム３２ｄ、３７と前記第３のカム３８との連結および遮断を制御するクラッチ機構３３とから成るものである。
【００３３】
前記ジクザグミシンは、図１ないし図５に示されるように多数の模様を形成するために針棒揺動を制御する振幅制御カム群２９、３０と、該振幅制御カム群に対向して配設されカムに接触する接触子２０と、該接触子と針棒揺動装置に作動的に連結する連結機構１９、２２と、前記振幅制御カム群２９、３０中の選択されるカムに前記接触子２０を接触させ該カムの揺動を前記針棒揺動装置に伝達させる選択カム群１とを備えているものである。
【００３４】
模様選択カム部の構成は、図５に示されるように以下の構成より成る。
選択カム組１は、前記各接触子２０に対向してディスクカムが配設され、前記接触子の枚数だけ積層されている。中間部には割出し溝１ａが形成されており、鋼球２と板バネ３によりカム位置を保持するように構成されている。
【００３５】
選択カム軸４は、機枠（図示せず）に固着された取付板５と取付板６によって支持され、Ｅリング７にて軸方向の移動が制止されている。前記選択カム組１は、前記選択カム軸４に対し、回動自在に軸支されている。
【００３６】
選択カム駆動部８は、選択カム組１と一体的に回動すべく係合している。前記選択カム駆動部８と模様選択ダイアル（図示せず）の間に張設されたタイミングベルト９は、選択ダイアルの操作に連動し選択カム紐１を回動すべく構成されている。
【００３７】
前記選択カム駆動部８と前記選択カム組１の間に挿入された選択カムバネ１０は、常時前記選択カム組１を前記取付板５側へ押圧すべく付勢している。前記選択カム組１の軸方向位置を規制している調節ネジ１１は、前記選択カム組１と前記接触子との対偶調整を可能とする構成となっている。
【００３８】
接触子部は、図４に示されるように以下の構成より成る。
接触子軸１２が、ネジ１３、１４によって前記取付板６と前記取付板５に固着されている。
【００３９】
送り接触子ガイド１５は、前記接触子軸１２に対して揺動自在に装着されている。前記送り接触子１６の揺動を受け、自動送り腕１７と調節ネジ１８を介して送り調節器（図示せず）を制御すべく構成されている。
【００４０】
幅接触子ガイド１９は、前記接触子軸１２に対して揺動自在に装着され、幅接触子２０の揺動を受け、調節ネジ２１および幅出駆動腕２２を介して針棒（図示せず）の左右方向揺動位置を制御すべく構成されている。
【００４１】
前記送り接触子ガイド１５、前記送り接触子１６、前記自動送り腕１７、前記幅接触指ガイド１９、幅接触子２０、幅出駆動腕２２は、Ｅリング２３とカラー２４にて、軸方向の移動が制止されている。ＢＨ（ボタンホール）切替板２５は、図８に示す如く前記接触子軸１２にてガイドされ、左右方向移動自在に支持されている。
【００４２】
模様カム部は、図３に示されるように以下の構成より成る。
模様カム軸２６は、ネジ２７、２８によって前記取付板６と取付板８に固着されている。
【００４３】
幅模様カム組２９、３０は、前記模様カム軸２６に回動自在に軸支されている。幅模様カム３０の一端は、ウォームホィール３０ａとなっており、主軸に固定したウォーム（図示せず）と噛み合っており、主軸の駆動と共に回動すべく構成されている。
【００４４】
送り模様カム組３１は、前記模様カム軸２６に回動自在に軸支されている。前記幅模様カム組２９と前記送り模様カム組３１は、前記幅模様カム３０の３０ｂ、３０ｃ部で係合し、一体回動すべく構成されている。
【００４５】
図８に示されるように、ＢＨ（ボタンホール）制御カム組３２は、前記送り模様カム組３１のラチェットホィール３１ａと係合すべく、常時板バネ３４によって押圧されている。ラチェット中間部の凸出部３３ｂは、前記ＢＨ切替板２５の係止爪２５ａと係合している。
【００４６】
ＢＨ制御カム組３２の中間部には、位置決め溝３２ａが形成されており、鋼球３５と板バネ３６によりカム位置を保持するように構成されている。ＢＨ側縫い時の基線切替体３７は、幅模様カム組のボス部３０ｄに回動自在に挿入され、且つ、ＢＨカム組３２と一体回動すべくＢＨカム組の突出ピン３２ｂにて係合されている。
【００４７】
ＢＨ（ボタンホール）側縫カム３８は、基線切替体の移動体部３７ａに回動自在に挿入され、且つ幅模様カム組３０と一体回動すべく幅模様カム組の突出ピン３０ｅに係合されている。
【００４８】
前記幅模様カム２９、３０、前記送り模様カム組３１、前記ＢＨ制御カム組３２、前記基線切替体３７及び前記ＢＨ側縫カム３８は、模様カムバネ３９で常時前記取付板６側へ押圧され、調節ネジ４０によって前記接触子１６、２０との対偶を調整し且つ位置を保持する構成より成る。
【００４９】
第１のカム３２ｄは、図９および図１０に示されるようにボタンホールの両端閂止め部を形成する針棒揺動を制御する凹凸カム面が形成された６針カムより成り、前記振幅制御カム群に対して相対回転可能に支持され、軸方向に突出して前記第２のカムに係合する突起３２ｂが一体的に形成されている。
【００５０】
前記基線切替体としての前記第２のカム３７は、図１０に示されるように前記ボタンホールの両かがり部の形成時の針落ちを制御する補助カム面が形成された補助カムより成り、前記第１のカム３２ｄに対して偏心して配設され、該第１のカム３２ｄに一体的に形成した突起３２ｂが挿入係合する長孔３７ｃが半径方向に形成され、前記第１のカムに機械的に連結している。
【００５１】
前記ＢＨ側縫カムとしての前記第３のカム３８は、図１１に示されるように前記かがり部を形成する針棒揺動を制御する凹凸カム面が形成され、前記振幅制御カム群２９、３０に対して偏心して配設され、該振幅制御カム群に軸方向一体的に形成した突起３０ｅに係合する長孔３８ｅが半径方向に形成され、前記振幅制御カム群２９、３０に機械的に連結されている。
【００５２】
前記クラッチ機構を構成するラチェット３３は、図８に示されるように前記送り模様カム組３１と一体的に形成されたラチェットホィール３１ａと係合すべく、常時板バネ３４によって押圧されているとともに、中間部の凸出部３３ｂは、前記ＢＨ切替板２５の係止爪２５ａと係合しており、前記ボタンホールの形成にあたり、前記第１および第２のカム３２ｄ、３７と前記第３のカム３８との連結および遮断を制御するように構成されている。
【００５３】
前記第１、第２および第３のカム３２ｄ、３７、３８に対して、個別に接触子２０が個別に常時対向配置され、ボタンホール制御カムを構成する前記選択カム１のカム面に追従して、揺動し得るように構成されている。
【００５４】
上記構成より成る本実施形態のジグザグミシンのボタンホール縫い装置は、図１４に示されるボタンホールの両端閂止め部を形成する場合においては、前記ボタンホール制御カムを構成する前記選択カム１のカム面の突起が前記接触子２０を図中左方に移動させた状態において、前記振幅制御カム群２９、３０に対して相対回転可能に支持され、前記凹凸カム面が形成された前記第１のカム３２ｄが、図９（Ａ）および図９（Ｂ）に示されるように針棒揺動を制御して、両端閂止め部を形成するものである。
【００５５】
図１３に示される前記ボタンホールの両かがり部を形成する場合においては、前記ボタンホール制御カムを構成する前記選択カム１のカム面の突起が前記接触子２０を図中左方に移動させた状態において、前記第１のカムに機械的に連結され同期して回転する外周面にカム面が形成された前記第２のカム３７が、図１０（Ａ）および図１０（Ｂ）に示されるように針棒揺動を制御して、右側縫いの左針落ちおよび左側縫いの左針落ちを規制制御するものである。
【００５６】
図１３に示される前記両側かがり部を形成する場合においては、前記ボタンホール制御カムを構成する前記選択カム１のカム面の突起が前記接触子２０を図中左方に移動させた状態において、前記第２のカム上に支持され前記振幅制御カム群に機械的に連結され同期して回転する外周面に凹凸カム面が形成された前記第３のカム３８が、図１０（Ａ）および図１０（Ｂ）に示されるように針棒揺動を制御して、右側縫いの右針落ちおよび左側縫いの右針落ちを規制制御し前の５５段落とあわせ両側かがり部を形成するものである。
【００５７】
上記作用を奏する本実施形態のジグザグミシンのボタンホール縫い装置は、前記第１のカム３２ｄと前記第２のカム３７とが別部材によって構成され、それぞれ独立しているため、一方の精度を確保するために形状補正を加えたことに伴う他方の精度に影響を与えることを防止して、精度低下を阻止するという効果を奏する。
【００５８】
また本実施形態のジグザグミシンのボタンホール縫い装置は、前記第１のカム３２ｄと前記第２のカム３７とが別部材によって構成されているので、前記ラチェットホィール３１ａの径を大きく設定することが出来るため、クラッチ機能を安定させることが出来るという効果を奏する。
【００５９】
さらに本実施形態のジグザグミシンのボタンホール縫い装置は、幅カット部３８ｆにグリースを封入することにより、前記ＢＨカムに対する側縫いカムの摺動抵抗が小さくなり、側縫い時の前記ＢＨカムの位置保持が安定するという効果を奏する。
【００６０】
また本実施形態のジグザグミシンのボタンホール縫い装置は、前記第１のカムと前記第２のカムおよび第３のカムが独立しているため、ボタンホール縫いを可能にするとともに、一方のカムの精度を確保するために形状補正を加えたことに伴う他方のカムの精度に影響を与えることを防止して、精度低下を阻止するという効果を奏するものである。
【００６１】
さらに本実施形態のジグザグミシンのボタンホール縫い装置は、前記ボタンホールカムの揺動を個別に設けた各接触子で取り出し直接針棒揺動装置に伝達する構成であり、一般縫いと同様の針落ち精度を容易に確保出来るという効果を奏する。
【００６２】
また本実施形態のジグザグミシンのボタンホール縫い装置は、各カム２９ないし３２に対向した接触子１６、２０を事前に対偶配置させているので、構造が簡単であり、カムと接触子との対偶が安定しているとともに、従来装置のように離隔のための不要な負荷の発生を生じないという効果を奏する。
【００６３】
さらに本実施形態のジグザグミシンのボタンホール縫い装置は、前記接触子は、前記選択カムによって選択されたもののみ選択的に揺動させ、他のものは揺動されないように構成されているので、前記副接触子を用いる従来装置が有する構造が複雑であることからくる前記主接触子および副接触子の作動不順を防止し、前記主および副接触子の剛性を高めることを不要とし、針落ち精度の確保を容易にするという効果を奏する。
【００６４】
また本実施形態のジグザグミシンのボタンホール縫い装置は、一般縫いと同様の選択により、ボタンホール縫いを選択することが出来、選択操作が容易であるとともに、構造が簡単であるという効果を奏する。
【００６５】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【図面の簡単な説明】
【図１】  本発明の実施形態のジグザグミシンのボタンホール縫い装置を示す平面図である。
【図２】  本実施形態装置を示す正面図である。
【図３】  本実施形態装置を示す図１中Ａ−Ａ線に沿う断面図である。
【図４】  本実施形態装置を示す図１中Ｂ−Ｂ線に沿う断面図である。
【図５】  本実施形態装置を示す図１中Ｃ−Ｃ線に沿う断面図である。
【図６】  本実施形態装置を示す図１中Ｄ−Ｄ線に沿う断面図である。
【図７】  本実施形態装置を示す図１中Ｅ−Ｅ線に沿う断面図である。
【図８】  本実施形態装置を示す図１中Ｆ−Ｆ線に沿う断面図である。
【図９】  本実施形態装置を示す図１中Ｇ−Ｇ線に沿う断面図である。
【図１０】  本実施形態装置を示す図１中Ｈ−Ｈ線に沿う断面図である。
【図１１】  本実施形態装置を示す図１中Ｊ−Ｊ線に沿う断面図である。
【図１２】  本実施形態装置を示す図１中Ｋ−Ｋ線に沿う断面図である。
【図１３】  ボタンホールの各部を説明する説明図である。
【図１４】  従来装置のミシン脚柱部を示す横断面図である。
【図１５】  従来装置の上方アーム内の構造を示す平面図である。
【図１６】  従来装置の第１のカムを示す断面図である。
【図１７】  従来装置の第２のカムを示す断面図である。
【符号の説明】
２９、３０  振幅制御カム群
３２ｄ  第１のカム
３７  第２のカム
３８  第３のカム
３３  クラッチ機構
【図１】
0003653890.tif 000002
【図２】
0003653890.tif 000003
【図３】
0003653890.tif 000004
【図４】
0003653890.tif 000005
【図５】
0003653890.tif 000006
【図６】
0003653890.tif 000007
【図７】
0003653890.tif 000008
【図８】
0003653890.tif 000009
【図９】
0003653890.tif 000010
【図１０】
0003653890.tif 000011
【図１１】
0003653890.tif 000012
【図１２】
0003653890.tif 000013
【図１３】
0003653890.tif 000014
【図１４】
0003653890.tif 000015
【図１５】
0003653890.tif 000016
【図１６】
0003653890.tif 000017
【図１７】
0003653890.tif 000018